(57)【特許請求の範囲】
【請求項１】
受信した画情報を画像メモリに蓄積する画情報蓄積手段と、
前記画情報を受信後、あらかじめ指定された通信装置に発呼し通信接続すると共に、前記画情報を受信したことを前記通信接続した通信装置に報知する報知手段と、
前記通信接続中に、前記通信接続した通信装置から前記画情報の転送先を指定する信号を受信する転送先指定信号受信手段と、
前記転送先指定信号受信手段が受信した転送先を指定する信号に基づいて転送先に発呼すると共に、前記画情報を前記転送先に送信する転送手段と、を有することを特徴とする通信装置。
【請求項２】
前記受信した画情報を記録出力する記録出力手段を有し、
前記記録出力手段は、前記画像メモリの容量が所定値以下になった場合に、前記受信した画情報を記録出力することを特徴とする請求項１に記載の通信装置。
【請求項３】
前記画像メモリ内に前記画情報の一部を残して残りの部分を削除するとともに、前記画情報の一部を送信することを通信装置に報知し、
前記転送手段は、通信装置から前記画情報の転送先を指定する信号が入力した場合に、指定された転送先に前記画情報の一部を送信することを特徴とする請求項２記載の通信装置。
【請求項４】
前記転送手段は、前記指定された通信装置から報知の不許可が指定された場合には、前記指定された通信装置に報知するのを停止することを特徴とする請求項１乃至３の何れかに記載の通信装置。
【請求項５】
前記転送手段は、前記指定された通信装置から報知の不許可が指定された場合には、前記指定された通信装置に報知するのを停止するとともに、同一の転送先に前記画情報を転送することを特徴とする請求項１乃至４の何れかに記載の通信装置。
【請求項６】
前記転送手段は、前記指定された通信装置から報知の不許可が指定された場合には、設定時間に達するまでに同一の転送先に前記画情報を転送するとともに、設定時間を超えたときに、前記指定された通信装置に報知の許可および不許可を指定する信号を出力することを特徴とする請求項１乃至５の何れかに記載の通信装置。
【請求項７】
前記報知手段は、転送先の電話番号を音声によって前記指定された通信装置に報知することを特徴とする請求項１乃至６の何れかに記載の通信装置。
【発明の詳細な説明】
【０００１】
【発明の属する技術分野】
本発明は、通信装置に関し、詳しくは、画情報を受信したことを即時に通信端末に報告して指定された転送先に転送することができる通信装置に関する。
【０００２】
【従来の技術】
近時のファクシミリ装置等の通信装置にあっては、オペレータの不在時等に画情報の受信が行なわれると、この画情報を指定された相手先の通信装置に転送する機能を有するものがあり、このような機能を有するファクシミリ装置として、例えば、実公平７−１８２０８号公報に記載されたようなものが知られている。
【０００３】
このものは、電話回線とファクシミリ装置とを結合する入／出力部と、ファクシミリ送受信プログラム等を記憶する記憶部と、ファクシミリ受信の記録印字を行なう記録部と、送信原稿を読み取る読取部と、前記入／出力部、記憶部、記憶部および読取部を夫々制御する制御部と、を有し、電話回線を介しての指令により前記記録部で印字した受信紙を送信口に移送すべく移動する受信スタッカと、前記記憶部に記憶されている転送先の電話番号を呼出してポーリング送信するポーリング制御部を設けたものから構成されている。
【０００４】
このものは、外出先等の電話からファクシミリ装置を呼出して画情報を受信したことが確認されると、記録部で印字した受信紙を送信口に移送して読取部で読み取った後、この画情報を転送先のファクシミリ装置に転送するようになっている。
【０００５】
【発明が解決しようとする課題】
しかしながら、このような従来のファクシミリ装置にあっては、受信があったことを外出先から確認しなければならないため、受信があったことを速やかに確認するためにはファクシミリ装置に頻繁に電話をする必要があり、確認作業が大変煩わしいものとなってしまうとともに、確認のための電話をしなければ受信があったことを確認することができない上に、外出先から転送の指示を行なわないと受信した画情報を受取ることができないため、受信した画情報を転送先で速やかに、かつ確実に受取ることができないという問題があった。
【０００６】
また、受信した画情報を一旦記録紙に記録した後、転送先に転送する際にはこの記録紙を読取部により再度読み取って転送しなければならないため、画情報が劣化する上に、送信元の記録紙が無駄に消費されてしまうという問題があった。そこで本発明は、外出先で画情報を受信したことを速やかに知ることができる上に、画像メモリに蓄積された画情報を指定された転送先にそのまま迅速、かつ確実に転送することができ、さらに、記録紙が無駄に消費されるのを防止することができる通信装置を提供することを目的としている。
【０００７】
【課題を解決するための手段】
請求項１記載の発明は、上記課題を解決するために、受信した画情報を画像メモリに蓄積する画情報蓄積手段と、前記画情報を受信後、あらかじめ指定された通信装置に発呼し通信接続すると共に、前記画情報を受信したことを前記通信接続した通信装置に報知する報知手段と、前記通信接続中に、前記通信接続した通信装置から前記画情報の転送先を指定する信号を受信する転送先指定信号受信手段と、前記転送先指定信号受信手段が受信した転送先を指定する信号に基づいて転送先に発呼すると共に、前記画情報を前記転送先に送信する転送手段と、を有することを特徴としている。
【０００８】
その場合、通信装置に画情報の受信があったことを通信端末に直ちに知らせることができる。このとき、オペレータが携帯電話等の通信端末を持っているため、外出先が一定の場所でない場合に、オペレータは最寄の転送先のファクシミリ装置等を指定することにより、受信文書を迅速、かつ確実に受取ることができる。
また、画像メモリに蓄積された画情報をそのまま転送先に転送することができるため、従来のように記録紙に記録して再度読み取るのを不要にでき、送信元の通信端末の記録紙が無駄に消費されるのを防止することができる。
【０００９】
請求項２記載の発明は、上記課題を解決するために、請求項１記載の発明において、前記受信した画情報を記録出力する記録出力手段を有し、前記記録出力手段は、前記画像メモリの容量が所定値以下になった場合に、前記受信した画情報を記録出力することを特徴としている。
【００１０】
このようにしたのは、画像メモリがオーバフローすると、通信中であっても通信終了を強制的に実施したり、次の通信を行なうことができない等の不具合が発生するため、画像メモリがオーバーフローする前、すなわち、画像メモリの容量が所定値以下になったときに、受信した画情報を記録出力して送信元から画情報を再送信してもらうのを不要にして画情報を確実に受信するためである。
【００１１】
請求項３記載の発明は、上記課題を解決するために、請求項２記載の発明において、前記画像メモリ内に前記画情報の一部を残して残りの部分を削除するとともに、前記画情報の一部を送信することを通信装置に報知し、前記転送手段は、通信装置から前記画情報の転送先を指定する信号が入力した場合に、指定された転送先に前記画情報の一部を送信することを特徴としている。
その場合、画像メモリがオーバーフローする場合であっても、画情報の受信があったことを通信端末に報知して、最低限の（一部の）受信画情報を転送先に送信することにより、転送先からでも画情報の送信元の特定を行なうことができるようにして、転送先で画情報を迅速、かつ確実に得ることができる。
請求項４記載の発明は、上記課題を解決するために、請求項１乃至３の何れかに記載の発明において、前記転送手段は、前記指定された通信装置から報知の不許可が指定された場合には、前記指定された通信装置に報知するのを停止することを特徴としている。
請求項５記載の発明は、上記課題を解決するために、請求項１乃至４の何れかに記載の発明において、前記転送手段は、前記指定された通信装置から報知の不許可が指定された場合には、前記指定された通信装置に報知するのを停止するとともに、同一の転送先に前記画情報を転送することを特徴としている。
【００１２】
その場合、一定の転送先にオペレータが長時間居る場合等には、通信装置から受信があったことを報知するのを不要にしてそのまま画情報を転送することにより、何回も報知を受けるのを不要にしつつ、転送先で画情報を迅速、かつ確実に得ることができる。
請求項６記載の発明は、上記課題を解決するために、請求項１乃至５の何れかに記載の発明において、前記転送手段は、前記指定された通信装置から報知の不許可が指定された場合には、設定時間に達するまでに同一の転送先に前記画情報を転送するとともに、設定時間を超えたときに、前記指定された通信装置に報知の許可および不許可を指定する信号を出力することを特徴としている。
【００１３】
その場合、一定の転送先にオペレータが一定時間（設定時間）居る場合等には、通信装置から受信があったことを報知するのを不要にしてそのまま画情報を転送することにより、何回も報知を受けるのを不要にしつつ転送先で画情報を迅速、かつ確実に得ることができる。
また、オペレータが転送先を変更する場合であっても、通信装置から受信があったことを通信端末に直ちに知らせることができ、オペレータは最寄の転送先のファクシミリ装置等を指定することにより、受信文書を迅速、かつ確実に受取ることができる。
【００１４】
請求項７記載の発明は、上記課題を解決するために、請求項１乃至６の何れかに記載の発明において、前記報知手段は、転送先の電話番号を音声によって前記指定された通信装置に報知することを特徴としている。
その場合、転送先の電話番号を音声によって通信端末に報知することにより、オペレータが転送先を確認することができる。このため、転送先を間違えてしまうのを防止することができ、画情報を指定する転送先に迅速、かつ確実に転送することができる。
【００１５】
【発明の実施の形態】
以下、本発明の実施形態を図面に基づいて説明する。
図１〜３は本発明に係るファクシミリ装置の第１実施形態を示す図であり、請求項１または６記載の発明に対応している。
まず、構成を説明する。図１において、１は本実施形態の通信装置を構成するファクシミリ装置であり、このファクシミリ装置１は一般回線やＩＳＤＮ等の公衆網２を介して送信元のファクシミリ装置３、転送先のファクシミリ装置４および通信端末としての携帯電話５に接続されている。なお、通信端末としては、携帯電話の他に一般の電話器、ポケットベル等であっても良い。
【００１６】
図２はファクシミリ装置１、３、４の構成を示す図であり、全て同様の構成であるため、ファクシミリ装置１を中心に説明する。
図２において、ファクシミリ装置１は、網制御装置（以下、ＮＣＵという）６、システム制御部７、画像メモリ８、記録部９、音声合成部10、ダイヤルメモリ11、操作部12および読取部13から構成されており、これら各装置６〜13はバス14によって接続されている。
【００１７】
ＮＣＵ６は公衆網２に接続され、公衆網２との間で呼の接続・切断を行なうようになっている。
システム制御部７は、ファクシミリ装置１全体を制御するものであり、ＣＰＵ（Central Processing Unit）、ＲＯＭ（Read Only Memory)、ＲＡＭ（Random Access Memory)等を有し、ＲＯＭに格納された制御プログラムをＣＰＵで実行することにより、ファクシミリ装置１としてのシーケンスを行なうとともに、本発明の各種制御を実行するようになっている。
【００１８】
画像メモリ８は送信または受信される画情報を一旦蓄積するものであり、ハードディスク、半導体メモリ等から構成されている。
記録部９はサーマル素子を利用したサーマル記録装置が使用されており、記録部９は受信した画情報を感熱記録素子に直接、あるいは、普通記録紙にインクシートを介して間接的に画像を記録するようになっている。また、この記録部９は感光体ドラムを有する電子写真方式のものであっても良い。音声合成部10は所定の音声信号を作成して生成するもである。
【００１９】
ダイヤルメモリ11は画情報の転送先の電話番号および報知先の電話番号を格納しており、半導体メモリ等から構成されている。
操作部12はファクシミリ装置１を操作するためのスタートキー、テンキー等の各種操作キーが設けられており、操作キーのキー操作により、送受信命令等の各種命令が入力されるようになっている。また、操作部12には不在時に留守モードを設定する留守モードキーが設けられており、留守モード設定手段を構成している。そして、この留守モードキーが操作されると、留守モード時に画情報を受信したとき、システム制御部７は画情報を画像メモリ８に蓄積した後、画情報を受信したことダイヤルメモリ11に格納された電話番号の携帯電話５に通知するようになっている。なお、システム制御部７は制御手段を構成している。
【００２０】
システム制御部７は、この報知に際して、音声合成部10に格納された転送先の電話番号を示す音声によって携帯電話５に報知するようになっている。そして、システム制御部７は携帯電話５から画情報の転送先を指定する信号が入力したときに、この電話番号がダイヤルメモリ11に格納されていた場合には、ダイヤルメモリ11から電話番号を読み出し、また、格納されていない場合には、この電話番号をダイヤルメモリ11に格納する一方で、この電話番号の転送先に画像メモリ８に蓄積された画情報を読み出して送信するようになっている。このシステム制御部７は転送手段も構成している。
【００２１】
読取部13はＣＣＤ（Charge Coupled Device）を利用したイメージスキャナが利用されており、読取部13は、システム制御部７からの指令によって原稿を走査して原稿の画情報を読み取るようになっている。
次に、図３のフローチャートに基づいて画情報の転送方法を説明する。
なお、図３のフローチャートはシステム制御部のＲＯＭに格納され、ＣＰＵによって実行されるプログラムである。
【００２２】
オペレータは、外出する前に操作部12の留守モードキーを操作して留守モードを設定することができるとともに、転送先の電話番号を操作部12によって設定することができる。
まず、待機状態で送信元（発信元）のファクシミリ装置３から画情報を受信すると（ステップＳ1、Ｓ2）、留守モードであるか否かを判別する（ステップＳ3）。留守モードが設定されていないときには、受信した画情報を一旦画像メモリ８に蓄積した後、記録部９によって記録出力する（ステップＳ4）。
【００２３】
次いで、記録出力が終了したか否かを判別し（ステップＳ5）、記録出力が終了した場合には、受信した記録済みのデータをクリアして（ステップＳ6）ステップＳ1に戻る。
一方、留守モードが設定されている場合には、受信した画情報が画像メモリ８に蓄積されても記録部９を作動させずに、画像メモリ８に受信した画情報を蓄積し、１通信分の画情報の受信が終了したか否かを判別し（ステップＳ7）、終了した場合には、ダイヤルメモリ11から外出先の携帯電話５の電話番号を読み出してＮＣＵ６によって発呼する（ステップＳ8）。次いで、携帯電話５がオフフックして回線が接続されると（ステップＳ9）、音声合成部10に格納された音声データを取り出して携帯電話５に対して音声通知する（ステップＳ10）。
【００２４】
この際に、例えば、「受信があります」というアナウンスの後に、「予め格納されている転送先に画情報を転送しますか」というアナウンスが行なわれる。この際、オペレータが携帯電話５を操作してＤＴＭＦ信号（Dual Tone Matrix Frequency）によって予め設定されている転送先の番号に転送するか否かを判断し、ＤＴＭＦ信号を送信する。
【００２５】
この信号を受けて、転送先の変更があるか否かを判別し（ステップＳ11）、変更がない場合には、そのまま転送するコマンドを入力する。次いで、ダイヤルメモリ11に格納された転送先の電話番号を選択し（ステップＳ12）、音声信号で「転送先の電話番号は１２３−４５６７でよろしいですか」とアナウンスが行なわれ、携帯電話５から入力したコマンドによって良いか否かの判断を行ない（ステップＳ13）、良いという確認がとれた場合には、受信連絡を終了する。
【００２６】
次いで、ダイヤルメモリ11に格納された転送先のファクシミリ装置４を読み出してＮＣＵ６によって公衆網２を発呼し（ステップＳ14、Ｓ15）、転送先のファクシミリ装置４に接続されると（ステップＳ16）、画像メモリ８に蓄積された画情報の転送を開始し（ステップＳ17）、転送が終了したときに（ステップＳ18）、画像メモリ18内の転送済みの画情報を消去して（ステップＳ19）、ステップＳ1に戻る。
【００２７】
一方、ステップＳ11で転送先の変更が行なわれる場合には、携帯電話５のオペレータが新規の転送先を選択してその電話番号を入力し（ステップＳ20、Ｓ21）、電話番号の入力が終了すると、音声合成部10に格納された音声データを取り出して携帯電話５に対して確認のための音声通知する（ステップＳ22）。この際に、例えば、「変更された転送先の電話番号は１２３ー４５６７です」というアナウンスの後に、「この転送先の番号で正しいでしょうか」というアナウンスが行なわれる。
【００２８】
次いで、携帯電話からそれで良いという確認のコマンドが入力したか否かを判別し（ステップＳ23）、良いという確認がとれた場合には、この電話番号をダイヤルメモリ11に格納した後、ステップＳ14以降のフローを実行してステップＳ1に戻る。
このように本実施形態では、オペレータの不在時に留守モードを設定し、この留守モード設定時に画情報を受信したとき、画情報を画像メモリ８に蓄積した後、画情報を受信したことをダイヤルメモリ11に格納された電話番号の携帯電話５に報知し、携帯電話５から画情報の転送先を指定する信号が入力したときに、指定された転送先のファクシミリ装置４に画情報を送信するようにしたため、携帯電話５に画情報の受信があったことを直ちに知らせることができる。このとき、オペレータが携帯電話５を持っているため、外出先が一定の場所でない場合に、オペレータは最寄の転送先のファクシミリ装置４を指定することにより、受信文書を迅速、かつ確実に受取ることができる。
【００２９】
また、画像メモリ８に蓄積された画情報をそのまま転送先のファクシミリ装置４に転送することができるため、従来のように記録紙に記録して再度読み取るのを不要にでき、送信元のファクシミリ装置３の記録紙が無駄に消費されるのを防止することができる。
また、転送先の電話番号を音声によって携帯電話５に報知しているため、オペレータが転送先を確認することができる。このため、転送先を間違えてしまうのを防止することができ、画情報を指定する転送先に迅速、かつ確実に転送することができる。
【００３０】
図４は本発明に係るファクシミリ装置の第２実施形態を示す図であり、請求項２、３、７の何れかに記載の発明に対応している。なお、本実施形態では、基本構成は第１実施形態と同様であるため、その構成は図１、２を用いて説明する。
本実施形態では、記録部９が受信した画情報を記録出力する記録出力手段を構成している。
【００３１】
また、システム制御部７は、留守モード設定時に、画像メモリ８の容量ｍバイトが所定値ｎバイト以下になったときに、受信した画情報を記録部９によって記録出力し、記録部９によって画情報を記録出力した後、画像メモリ８内に画情報の一部を残して残りの部分を削除するとともに、画情報の一部を送信することを通信端末に報知して転送先のファクシミリ装置４に送信するものである。
【００３２】
以下、図４のフローチャートに基づいて画情報の転送方法を説明する。
なお、図４のフローチャートはシステム制御部のＲＯＭに格納され、ＣＰＵによって実行されるプログラムである。また、図４では第１実施形態と同様の処理を行なうステップには同一ステップ番号を付している。
まず、待機状態で送信元（発信元）のファクシミリ装置３から画情報を受信すると（ステップＳ31、Ｓ32）、留守モードであるか否かを判別する（ステップＳ33）。留守モードが設定されていない場合には、受信した画情報を一旦画像メモリ８に蓄積した後、記録部９によって記録する（ステップＳ34）。
【００３３】
次いで、記録が終了したか否かを判別し（ステップＳ35）、記録が終了した場合には、受信した記録済みのデータをクリアして（ステップＳ36）、ステップＳ31に戻る。
一方、留守モードが設定されている場合には、画像データの残量がｎバイト以上であるか否かを判別し（ステップＳ37）、ｎバイト以上の場合には、受信した画情報が画像メモリ８に蓄積されても記録部９を作動させずに、受信した画情報を画像メモリ８に蓄積し、１通信分の画情報の受信が終了したか否かを判別し（ステップＳ42）、終了した場合には、ダイヤルメモリ11から外出先の携帯電話５の電話番号を読み出してＮＣＵ６によって発呼する（ステップＳ43）。
【００３４】
次いで、携帯電話５がオフフックして回線が接続されると（ステップＳ44）、音声合成部10に格納された音声データを取り出して携帯電話５に対して音声通知する（ステップＳ45）。
この際に、例えば、「受信があります」というアナウンスの後に、「予め格納されている転送先に画情報を転送しますか」というアナウンスが行なわれる。この際、オペレータが携帯電話５を操作してＤＴＭＦ信号によって予め設定されている転送先の番号に転送するか否かを判断し、ＤＴＭＦ信号を送信する。
【００３５】
この信号を受けて、転送先の変更があるか否かを判別し（ステップＳ12）、以降は第１実施形態と同様の処理を実行する。
一方、ステップＳ37で画像メモリ８の残量がｎバイト以下であるものと判断したときには、画像メモリ８がオーバーフローする危険性があるため、記録部９によって指定頁（例えば、第１頁）以外の頁を記録出力し（ステップＳ38）、記録出力が終了したか否かを判断して（ステップＳ39）、終了した場合には、画像メモリ８から記録済みの画情報をクリアした後（ステップＳ40）、画像メモリ８に指定された頁の画情報のみを格納する（ステップＳ41）。
【００３６】
次いで、１通信分の画情報の受信が終了したか否かを判別し（ステップＳ42）、終了した場合には、ダイヤルメモリ11から外出先の携帯電話５の電話番号を読み出してＮＣＵ６によって発呼する（ステップＳ43）。
次いで、携帯電話５がオフフックして回線が接続されると（ステップＳ44）、音声合成部10に格納された音声データを取り出して携帯電話５に対して音声通知する（ステップＳ45）。
【００３７】
この際に、例えば、「メモリがオーバーフローする危険があるのでデータを記録しました」というアナウンスの後に、「予め格納されている転送先に１頁目のデータのみを転送しますか」というアナウンスが行なわれる。この際、オペレータが携帯電話５を操作してＤＴＭＦ信号によって予め設定されている転送先の番号に転送するか否かを判断し、ＤＴＭＦ信号を送信する。
【００３８】
この信号を受けて、転送先の変更があるか否かを判別し（ステップＳ12）、以降はステップＳ15〜17では転送先のファクシミリ装置４に１頁目の画情報のみを送信する。
このように本実施形態では、留守モード設定時に、画像メモリ８の容量ｍバイトが所定値ｎバイト以下になったときに、受信した画情報を記録部９によって記録出力し、画情報を記録出力した後、画像メモリ８内に１頁目の画情報を残して残りの部分を削除するとともに、１頁目の画情報を送信することを携帯電話５に報知して転送先のファクシミリ装置４に１頁目の画情報を送信するようにしたため、画像メモリ８がオーバフローして通信中であっても通信終了を強制的に実施したり、次の通信を行なうことができない等の不具合が発生するのを防止するために、画像メモリ８がオーバーフローする前に受信した画情報を記録出力して送信元のファクシミリ装置３から画情報を再送信してもらうのを不要にして画情報を確実に受信することができる。
【００３９】
また、画像メモリがオーバーフローする場合であっても、画情報の受信があったことを通信端末に報知して、最低限の受信画情報を転送先のファクシミリ装置４に送信することにより、転送先のファクシミリ装置４からでも画情報の送信元の特定を行なうことができ、転送先のファクシミリ装置４で画情報を迅速、かつ確実に得ることができる。
【００４０】
図５は本発明に係るファクシミリ装置の第３実施形態を示す図であり、請求項４、５、７の何れかに記載の発明に対応している。なお、本実施形態では、基本構成は第１実施形態と同様であるため、その構成は図１、２を用いて説明する。
本実施形態では、システム制御部７が、携帯電話５に報知の許可および不許可を指定する信号を出力するとともに、携帯電話５から報知の不許可が指定されたときに、以後の画情報の受信時から携帯電話５に報知を行なわずに同一の転送先のファクシミリ装置４に画情報を転送するようにしたものである。
【００４１】
以下、図５のフローチャートに基づいて画情報の転送方法を説明する。
なお、図５のフローチャートはシステム制御部のＲＯＭに格納され、ＣＰＵによって実行されるプログラムである。また、図５では第１実施形態と同様の処理を行なうステップには同一ステップ番号を付している。
まず、待機状態で送信元（発信元）のファクシミリ装置３から画情報を受信すると（ステップＳ51、Ｓ52）、留守モードであるか否かを判別する（ステップＳ33）。留守モードが設定されていない場合には、受信した画情報を一旦画像メモリ８に蓄積した後、記録部９によって記録する（ステップＳ54）。
【００４２】
次いで、記録が終了したか否かを判別し（ステップＳ55）、記録が終了した場合には、受信した記録済みのデータをクリアして（ステップＳ56）、ステップＳ51に戻る。
一方、留守モードが設定されている場合には、１通信分の画情報の受信が終了したか否かを判別し（ステップＳ57）、終了した場合には、フラグが１であるか０であるかを判別する（ステップＳ58）。このフラグは同一の転送先のファクシミリ装置に画情報を転送するように指定した場合には１が立ち、異なる転送先を指定した場合には０となる。
【００４３】
フラグが１の場合には、携帯電話を呼出さずにステップＳ14以降の処理を実行して自動的に同一の転送先のファクシミリ装置４に画情報を転送する。
一方、フラグが０の場合には、ダイヤルメモリ11から外出先の携帯電話５の電話番号を読み出してＮＣＵ６によって発呼する（ステップ59）。次いで、携帯電話５がオフフックして回線が接続されると（ステップＳ60）、音声合成部10に格納された音声データを取り出して携帯電話５に対して音声通知する（ステップＳ61）。
【００４４】
この際に、例えば、「受信があります」というアナウンスの後に、「予め格納されている転送先に画情報を転送しますか」というアナウンスが行なわれる。この際、オペレータが携帯電話５を操作してＤＴＭＦ信号によって予め設定されている転送先の番号に転送するか否かを判断し、ＤＴＭＦ信号を送信する。
この信号を受けて、転送先の変更があるか否かを判別し（ステップＳ62）、変更がない場合には、そのまま転送するコマンドを入力する。次いで、ダイヤルメモリ11に格納された転送先の電話番号を選択し（ステップＳ63）、音声信号で「転送先の電話番号は１２３−４５６７でよろしいですか」とアナウンスが行なわれ、携帯電話５から入力したコマンドによって良いか否かの判断を行ない（ステップＳ64）、良いという確認がとれた場合には、次通信以降同一の転送先に画情報を送るか否かを判断する（ステップＳ65）。
【００４５】
この処理は音声合成部10に格納された音声データを取り出して携帯電話５に対して音声通知、例えば、「以後同一の転送先に転送しますか」というアナウンスを行ない、携帯電話５から同一であるか別であるのかを示す信号が入力したことにより判断を行なう。なお、音声信号によるアナウンスが許可および不許可を通知する信号に相当する。
【００４６】
そして、同一である場合には、フラグ１を立て、同一でない場合には、フラグを０にした後、ダイヤルメモリ11に格納された転送先のファクシミリ装置４を読み出してＮＣＵ６によって公衆網２を発呼し（ステップＳ14、Ｓ15）、転送先のファクシミリ装置４に接続されると（ステップＳ16）、画像メモリ８に蓄積された画情報の転送を開始し（ステップＳ17）、転送が終了したときに（ステップＳ18）、画像メモリ18内の転送済みの画情報を消去してステップＳ51に戻る。
【００４７】
一方、ステップＳ62で転送先の変更が行なわれる場合には、携帯電話５のオペレータが新規の転送先を選択してその電話番号を入力し（ステップＳ68、Ｓ69）、電話番号の入力が終了すると、音声合成部10に格納された音声データを取り出して携帯電話５に対して確認のための音声通知する（ステップＳ70）。この際に、例えば、「変更された転送先の電話番号は１２３ー４５６７です」というアナウンスの後に、「この転送先の番号で正しいでしょうか」というアナウンスが行なわれる。
【００４８】
次いで、携帯電話からそれで良いという確認のコマンドが入力したか否かを判別し（ステップＳ71）、良いという確認がとれた場合には、この電話番号をダイヤルメモリ11に格納した後、次通信以降同一の転送先に画情報を送るか否かを判断し（ステップＳ65）、判断結果に基づいてステップＳ66以降のフローを実行する。
【００４９】
そして、ステップＳ66またはステップＳ67によって置換されたフラグに基づいてステップＳ58の判断を行ない、携帯電話５のオペレータに受信があったことを報知せずに同一の転送先に画情報を送るか、オペレータに受信があったことを報知した後、転送先の確認を行なう制御を行なう。
このように本実施形態では、携帯電話５に報知の許可および不許可を指定する信号を出力するとともに、携帯電話５から報知の不許可が指定されたときに、以後の画情報の受信時から携帯電話５に報知を行なわずに同一の転送先にファクシミリ装置４に画情報を転送するようにしたため、一定の転送先にオペレータが長時間居る場合等には、ファクシミリ装置１から受信があったことを報知するのを不要にしてそのまま画情報を転送することにより、何回も報知を受けるのを不要にしつつ、転送先で画情報を迅速、かつ確実に得ることができる。
【００５０】
なお、本実施形態では、同一の転送先に画情報を転送する制御を解除するためには、操作部12に転送制御解除キーを設けてこのキーを操作したり、留守モードを解除すれば良い。
図６は本発明に係るファクシミリ装置の第４実施形態を示す図であり、請求項６または７に記載の発明に対応している。なお、本実施形態では、基本構成は第１実施形態と同様であるため、その構成は図１、２を用いて説明する。
【００５１】
本実施形態では、システム制御部７が、携帯電話５から報知の不許可が指定されたときに、設定時間に達するまでに同一の転送先のファクシミリ装置に画情報を転送するとともに、設定時間を超えたときに、携帯電話５に報知の許可および不許可を指定する信号を出力するものである。
以下、図６のフローチャートに基づいて画情報の転送方法を説明する。
【００５２】
なお、図６のフローチャートはシステム制御部のＲＯＭに格納され、ＣＰＵによって実行されるプログラムである。また、図６では第１実施形態と同様の処理を行なうステップには同一ステップ番号を付している。
まず、待機状態で送信元（発信元）のファクシミリ装置３から画情報を受信すると（ステップＳ81、Ｓ82）、留守モードであるか否かを判別する（ステップＳ83）。留守モードが設定されていない場合には、受信した画情報を一旦画像メモリ８に蓄積した後、記録部９によって記録する（ステップＳ84）。
【００５３】
次いで、記録が終了したか否かを判別し（ステップＳ85）、記録が終了した場合には、受信した記録済みのデータをクリアしてステップＳ81に戻る（ステップＳ86）。
一方、留守モードが設定されている場合には、１通信分の画情報の受信が終了したか否かを判別し（ステップＳ87）、終了した場合には、オペレータが予め設定した制限時間（設定時間）内であるか否かを判別する（ステップＳ88）。この制限時間は例えば、午後１２：００である場合には、１２００というように指定される。
【００５４】
そして、制限時間内であれば、携帯電話５を呼出さずにステップＳ14以降の処理を実行して自動的に同一の転送先のファクシミリ装置４に画情報を転送する。一方、制限時間を過ぎた場合には、ダイヤルメモリ11から外出先の携帯電話５の電話番号を読み出してＮＣＵ６によって発呼する（ステップ89）。次いで、携帯電話５がオフフックして回線が接続されると（ステップＳ90）、音声合成部10に格納された音声データを取り出して携帯電話５に対して音声通知する（ステップＳ91）。
【００５５】
この際に、例えば、「受信があります」というアナウンスの後に、「予め格納されている転送先に画情報を転送しますか」というアナウンスが行なわれる。この際、オペレータが携帯電話５を操作してＤＴＭＦ信号によって予め設定されている転送先の番号に転送するか否かを判断し、ＤＴＭＦ信号を送信する。
この信号を受けて、転送先の変更があるか否かを判別し（ステップＳ92）、変更がない場合には、そのまま転送するコマンドを入力する。次いで、ダイヤルメモリ11に格納された転送先の電話番号を選択し（ステップＳ93）、音声信号で「転送先の電話番号は１２３−４５６７でよろしいですか」とアナウンスを行なった後、「以後同一の転送先に転送しますか」というアナウンスを行なう。
【００５６】
次いで、携帯電話５から入力したコマンドによって良いか否かの判断を行ない（ステップＳ94）、良いという確認がとれた場合には、制限時間の設定を実施するか否かの判別を行なう（ステップＳ95）。
この判別に際しては、音声合成部10に格納された音声信号によって、「例えば、制限時間を設定しますか」とういアナウンスを行なった後、携帯電話５から出力されたＤＴＭＦ信号によって制限時間の設定をするか否かの判断を行なう。
【００５７】
そして、携帯電話５から制限時間の設定をしないという信号が出力されると、この信号を受けて時間制限を設定しないと判断した場合には、ステップＳ14以降のフローを実行して自動的に指定された転送先に画情報を送信する。
また、携帯電話５がＤＴＭＦ信号によって制限時間を設定するという信号を出力すると、この信号を受けて音声合成部10で「何時何分まで制限しますか」という音声信号を取り出して携帯電話５に送信する。携帯電話からＤＴＭＦ信号によって「１２００」という指定時間を示す信号が入力すると、この時間を設定した後（ステップＳ96）、ステップＳ14以降のフローを実行して自動的に指定された転送先に画情報を送信する。
【００５８】
また、ステップＳ92で転送先の変更が行なわれる場合には、携帯電話５のオペレータが新規の転送先を選択してその電話番号を入力し（ステップＳ97、Ｓ98）、電話番号の入力が終了すると、音声合成部10に格納された音声データを取り出して携帯電話５に対して確認のための音声通知する（ステップＳ99）。この際に、例えば、「変更された転送先の電話番号は１２３ー４５６７です」というアナウンスの後に、「この転送先の番号で正しいでしょうか」というアナウンスが行なわれる。
【００５９】
次いで、携帯電話からそれで良いという確認のコマンドが入力したか否かを判別し（ステップＳ100）、良いという確認がとれた場合には、この電話番号をダイヤルメモリ11に格納する。また、この後、「以後同一の転送先に転送しますか」というアナウンスが行なわれ、ステップＳ100で携帯電話からそれで良いという確認のコマンドが入力したか否かを判別し、よれで良いという確認がとれた場合には、制限時間の設定を実施するか否かの判別を行なう（ステップＳ95）。以後は、ステップＳ96以降の処理を実行する。
【００６０】
このように本実施形態では、携帯電話５から報知の不許可が指定されたときに、設定時間に達するまでに同一の転送先のファクシミリ装置４に画情報を転送するとともに、設定時間を超えたときに、携帯電話５に報知の許可および不許可を指定するようにしたため、一定の転送先にオペレータが一定時間（設定時間）居る場合等には、ファクシミリ装置１から受信があったことを報知するのを不要にしてそのまま画情報を転送することにより、何回も報知を受けるのを不要にしつつ転送先で画情報を迅速、かつ確実に得ることができる。
【００６１】
また、オペレータが転送先を変更する場合であっても、ファクシミリ装置１から受信があったことを携帯電話５に直ちに知らせることができ、オペレータは最寄の転送先のファクシミリ装置４を指定することにより、受信文書を迅速、かつ確実に受取ることができる。
なお、本実施形態では、自動転送時間内に転送先の電話番号の変更をしたいときには、ファクシミリ装置１に対して携帯電話５からＤＴＭＦ信号によって変更または取消しが可能である。
【００６２】
【発明の効果】
請求項１記載の発明によれば、通信装置に画情報の受信があったことを通信端末に直ちに知らせることができる。このとき、オペレータが携帯電話等の通信端末を持っているため、外出先が一定の場所でない場合に、オペレータは最寄の転送先のファクシミリ装置等を指定することにより、受信文書を迅速、かつ確実に受取ることができる。
【００６３】
また、画像メモリに蓄積された画情報をそのまま転送先に転送することができるため、従来のように記録紙に記録して再度読み取るのを不要にでき、送信元の通信端末の記録紙が無駄に消費されるのを防止することができる。
請求項２記載の発明によれば、画像メモリがオーバーフローする前、すなわち、画像メモリの容量が所定値以下になったときに、受信した画情報を記録出力することによって、送信元から画情報を再送信してもらうのを不要にして画情報を確実に受信することができる。
【００６４】
請求項３記載の発明によれば、画像メモリがオーバーフローする場合であっても、画情報の受信があったことを通信端末に報知して、最低限の（一部の）受信画情報を転送先に送信することにより、転送先からでも画情報の送信元の特定を行なうことができるようにして、転送先で画情報を迅速、かつ確実に得ることができる。
請求項４または５記載の発明によれば、一定の転送先にオペレータが長時間居る場合等には、通信装置から受信があったことを報知するのを不要にしてそのまま画情報を転送することにより、何回も報知を受けるのを不要にしつつ、転送先で画情報を迅速、かつ確実に得ることができる。
請求項６記載の発明によれば、一定の転送先にオペレータが一定時間（設定時間）居る場合等には、通信装置から受信があったことを報知するのを不要にしてそのまま画情報を転送することにより、何回も報知を受けるのを不要にしつつ転送先で画情報を迅速、かつ確実に得ることができる。
【００６５】
また、オペレータが転送先を変更する場合であっても、通信装置から受信があったことを通信端末に直ちに知らせることができ、オペレータは最寄の転送先のファクシミリ装置等を指定することにより、受信文書を迅速、かつ確実に受取ることができる。
請求項７記載の発明によれば、転送先の電話番号を音声によって通信端末に報知することにより、オペレータが転送先を確認することができる。このため、転送先を間違えてしまうのを防止することができ、画情報を指定する転送先に迅速、かつ確実に転送することができる。
【図面の簡単な説明】
【図１】本発明に係る通信装置の第１実施形態を示す図であり、その通信システムの概念図である。
【図２】第１実施形態の通信装置の１例であるファクシミリ装置のブロック図である。
【図３】第１実施形態の画情報の転送手順のフローチャートである。
【図４】本発明に係る通信装置の第２実施形態を示す図であり、その画情報の転送手順のフローチャートである。
【図５】本発明に係る通信装置の第３実施形態を示す図であり、その画情報の転送手順のフローチャートである。
【図６】本発明に係る通信装置の第４実施形態を示す図であり、その画情報の転送手順のフローチャートである。
【符号の説明】
１    ファクシミリ装置
２    公衆網
３    送信元のファクシミリ装置
４    転送先のファクシミリ装置
５    携帯電話（通信端末）
６    ＮＣＵ
７    システム制御部（制御手段、転送手段）
８    画像メモリ
９    記録部（記録出力手段）
10    音声合成部
11    ダイヤルメモリ
12    操作部（留守モード設定手段）
13    読取部
14    バス
【図１】
0003645086.tif 000002
【図２】
0003645086.tif 000003
【図３】
0003645086.tif 000004
【図４】
0003645086.tif 000005
【図５】
0003645086.tif 000006
【図６】
0003645086.tif 000007